(57)【要約】      （修正有）【課題】新生児が先天的な障害をもって生まれた場合にその不利益を補填し、該当する親子を強力にサポートすることができる保険業のためのコンピュータシステムを提供する。【解決手段】保険業務支援システムは、先天的障害とそれに応じた支払保険金の基準を記憶した先天的障害情報記憶部１１と、新生児のデータを入力する新生児データ入力部１２と、前記データを入力された新生児につき発見された先天的障害のデータを入力する障害データ入力部１２と、前記入力された新生児の障害データと、前記先天的障害情報記憶部に記憶された支払保険金の基準とに基づいて、支払保険金を出力する出力部１３と、制御装置１０とを備える。【選択図】図１
0003111564.tif 000002
【実用新案登録請求の範囲】
【請求項１】
先天的障害とそれに応じた支払保険金の基準を記憶した先天的障害情報記憶部と、
新生児のデータを入力する新生児データ入力部と、
前記データを入力された新生児につき発見された先天的障害のデータを入力する障害データ入力部と、
前記入力された新生児の障害データと、前記先天的障害情報記憶部に記憶された支払保険金の基準とに基づいて、支払保険金を出力する出力部と、
を備えた、保険業務支援システム。
【考案の詳細な説明】
【技術分野】
【０００１】
本考案は、保険業の業務を支援するコンピュータシステムに関し、特に、新生児が先天的な障害をもって生まれるリスクに対処するための保険業を支援するシステムに関する。
【背景技術】
【０００２】
妊娠、出産、育児は人生の一大事であり、また大いに慶ばしいことでもある。親は子の健やかな成長を一心に願うものであり、家族の健康ほど幸福なものはない。しかしながら、子が先天的な障害をもつことも稀にはある。かかる先天的な障害をもって生まれた子およびその親の労苦は、経済的不利益を含めて並大抵のものではない。また多額の治療費を支払っても、現在の医学では根本的治療が困難なことがほとんどである。このように、障害をもって生まれた場合の不利益は極めて大きなものであるが、そうなる可能性が極めて低いが故に、事前に対策を取ることは考えられてこなかった。実際に生まれてきた自らの子が障害を持っていることを知って初めて愕然とし、将来の不安と労苦に苛まれる事実が、現在まで長い間繰り返されてきた。
【考案の開示】
【考案が解決しようとする課題】
【０００３】
本考案は、新生児が先天的な障害をもって生まれた場合にその不利益を補填し、該当する親子を強力にサポートすることができる保険業のためのコンピュータシステムを提供することを目的とする。
【課題を解決するための手段】
【０００４】
本考案の保険業支援システムは、先天的障害とそれに応じた支払保険金の基準を記憶した先天的障害情報記憶部と、新生児のデータを入力する新生児データ入力部と、前記データを入力された新生児につき発見された先天的障害のデータを入力する障害データ入力部と、前記入力された新生児の障害データ及び前記先天的障害情報記憶部に記憶された支払保険金の基準に基づいて、支払保険金を出力する出力部と、を備える。
【考案の効果】
【０００５】
本考案によれば、新生児が先天的な障害をもって生まれた場合にその不利益を補填し、該当する親子を強力にサポートすることができる保険業のためのコンピュータシステムを提供することができる。
【考案を実施するための最良の形態】
【０００６】
次に、図面を参照しながら本考案の実施の形態を説明する。
（システム構成）
図１は、本考案の一実施形態による保険業支援システムのブロック図である。この保険業支援システム１は、先天的障害情報、新生児情報等を格納したデータベース１１と、新生児情報や該当する新生児の先天的障害情報を入力するための入力手段１２と、データベースの情報及び入力情報に基づいて支払保険金を出力する保険金出力手段１３と、制御装置１０とを備えている。
【０００７】
データベース１１は、先天的障害の種類と、その各々に応じた支払保険金額の基準を記憶しているほか、各先天的障害のための医療施設、専門家のいる相談機関、相互扶助を目的とした人的ネットワークなどの情報を記憶している。また、データベース１１は、入力手段１２で入力される新生児の氏名、その両親の氏名、住所、保険契約年月日、保険契約口数、新生児の生年月日、新生児の先天的障害データ等を、各々の新生児ごとに記憶する。
【０００８】
入力手段１２は、新生児の両親の氏名、住所、保険契約年月日、保険契約口数などを保険契約時に入力し、新生児の氏名、新生児の生年月日、保険料徴収データなどを新生児の誕生後に入力し、先天的障害が発見された場合にはその情報を入力するものである。
【０００９】
保険金出力手段１３は、入力手段１２により入力された各新生児の先天的障害データと、データベース１１に記憶されている先天的障害ごとの支払保険金の基準データに基づき、支払保険金額を出力する。
【００１０】
制御装置１０は、上記の入出力及び演算などの各種処理を制御する装置であり、支払保険金の算出などを行ない、出力手段に出力させる。
【００１１】
（処理手順）
図２は、上記実施形態による保険システムに備えられる制御装置１０の動作を説明するフローチャートである。制御装置１０は、新生児の両親の氏名、住所、保険契約年月日、保険契約口数など、保険契約時に決定されたデータが入力手段１２に入力された場合には（Ｓ１）、新規契約者のデータテーブルを作成してデータベース１１に記憶させる（Ｓ２）。この契約及びデータ入力は、多くは新生児の誕生前、特に妊娠中に行なわれるが、場合によっては新生児の誕生後でも構わない。誕生の前後において、後日先天的障害が発見される可能性に差がある場合には、それに応じて保険金や保険料の額に差を設けても良い。
【００１２】
新生児が誕生し、入力装置１２に新生児の氏名、生年月日、性別等のデータが入力されたら（Ｓ３）、制御装置１０はその情報をデータベース１１の上記契約者のデータテーブルに記憶させる（Ｓ４）。保険料を徴収した場合には、入力装置１２から入力された徴収データを同様に記憶させる。
【００１３】
新生児が先天的障害を有することが明らかになった場合、制御装置１０は、入力装置１２から入力される新生児の障害データを受け付ける（Ｓ５）。制御装置１０は、入力された障害データをデータベース１１に記憶させる（Ｓ６）。更に、データベース１１に予め記憶されている支払保険金の基準を読み出し（Ｓ７）、これに基づいて保険金額を算出し、保険金出力手段１３に出力させる（Ｓ８）。出力されたデータに基づいて、保険金の支払がなされることとなる。支払保険金の基準は、障害の種類ごとに画一的に定めても良く、症状の軽重によってランク付けしても良い。両親の収入金額などの経済的事情に基づいて算出しても良い。
【００１４】
先天的障害の発見又は発症は新生児の誕生後数年経ってからのこともあるので、新生児のデータは１０年程度の長期間保存されることが望ましい。保険契約の期間が短い場合にはそれに応じて保存期間を短くしてもよい。
【００１５】
新生児が先天的障害を有することが明らかになった場合の処理は、保険金の支払に限られず、必要に応じてデータベース１１に記憶されている専門の医療施設、相談機関、人的ネットワークなどを出力して紹介することができる。また、データベース１１には障害者の情報が集積されるので、個人のプライバシーに配慮しつつも、同様の障害をもつ者同士またはその親同士の人的ネットワークの形成を援助することも容易となる。
【００１６】
新生児が先天的障害を発見されることなく一定年齢を迎えた場合には（Ｓ９）、健康祝い金、入学・進学祝い金などの祝い金を一定の基準に基づいて算出して（Ｓ１０）支給してもよい。一定年齢を迎えたかどうかの判定は、現在日付と各新生児の生年月日を比較することによって行なわれる。
【００１７】
先天的障害が生じる統計的確率は小さいので、契約者数に対する保険金受領者の割合は極めて少ない。従って、保険料を安く設定しても保険金支払対象者に対して大きな保障を与えることができる。従って本実施形態によれば、契約者は安心して出産、育児に専念することができ、万一、先天的障害が発見されても、充実したサービスを受けることができる。
【図面の簡単な説明】
【００１８】
【図１】本考案の一実施形態による保険業支援システムのブロック図である。
【図２】上記実施形態による保険業支援システムに備えられる制御装置の動作を説明するフローチャートである。
【符号の説明】
【００１９】
１１  データベース
１２  入力手段
１３  保険金出力手段
１０  制御装置
【図１】
0003111564.tif 000003
【図２】
0003111564.tif 000004